(57)【要約】【課題】ガス燃料及び液体燃料による混焼運転と、ガス燃料のみによる専焼運転を行えるようにしてる燃焼装置において、液体燃料噴射ノズル５の内部で廃液の液分が蒸発し、廃液に含まれている夾雑物が固着してノズルが閉塞するということを防止する。【解決手段】ガス燃料及び液体燃料による混焼運転とガス燃料のみによる専焼運転を行えるようにしてる燃焼装置であって、液体燃料は燃焼装置の先端近くに設けている液体燃料噴射ノズル５から噴射しており、液体燃料供給管１を通して液体燃料噴射ノズル５へ液体燃料を供給するようにしている燃焼装置において、液体燃料供給管１に、液体燃料供給時の圧力が掛かると伸び、液体燃料の供給停止によって圧力がなくなると縮む伸縮管９を設けておき、液体燃料供給の有無によって液体燃料噴射ノズル５が燃焼装置の前後方向に移動するようにしておく。【選択図】図１
2011226741.tif 000002
【特許請求の範囲】
【請求項１】
ガス燃料及び液体燃料による混焼運転とガス燃料のみによる専焼運転を行えるようにしてる燃焼装置であって、液体燃料は燃焼装置の先端近くに設けている液体燃料噴射ノズルから噴射しており、液体燃料供給管を通して液体燃料噴射ノズルへ液体燃料を供給するようにしている燃焼装置において、液体燃料供給管に、液体燃料供給時の圧力が掛かると伸び、液体燃料の供給停止によって圧力がなくなると縮む伸縮管を設けておき、液体燃料供給の有無によって液体燃料噴射ノズルが燃焼装置の前後方向に移動するようにしたことを特徴とする燃焼装置。
【請求項２】
請求項１に記載の燃焼装置において、液体燃料噴射ノズルとその周囲に設けている燃焼装置壁部の間に偏り防止スペーサを設置しておき、前後方向に移動する液体燃料噴射ノズルが軸ずれしないようにしたことを特徴とする燃焼装置。
【発明の詳細な説明】
【技術分野】
【０００１】
本発明は、ガス燃料及び液体燃料による混焼運転と、ガス燃料のみによる専焼運転を行えるようにしてる燃焼装置に関するものである。
【背景技術】
【０００２】
特許３３２２８１５号にもあるように、工場などで発生する再生油などそのままでは燃焼し難いが燃焼を行えば熱が発生する廃液は、ガス燃料と混焼して処理するということが行われている。特許３３２２８１５号の燃焼装置は廃液とガス燃料を燃焼するものであり、ガス燃料による火炎に向けて液体燃料噴射ノズルから廃液を噴射することで、燃焼性の悪い廃液でもクリーンに燃焼することができ、廃液による燃焼熱を利用することで燃料消費量を削減することができる。廃液を燃焼する燃焼装置では、廃液の発生量が不安定であったり、燃焼量が小さい場合には廃液の燃焼状態が悪化することがあったため、ガス燃料のみで燃焼する専焼運転のモードを備えておき、ガス燃料による専焼運転と、ガス燃料及び廃液による混焼運転を切り換えることができるようにしている。
【０００３】
また、廃液には夾雑物が含まれていることがよくある。廃液に含まれている夾雑物がフィルターを通過する程度の非常に小さなものであっても、廃液の噴射を停止している間に液体燃料噴射ノズル内で液分が蒸発し、夾雑物が析出して塊となることで液体燃料噴射ノズルを詰まらせることがあった。特許３３２２８１５号の混焼装置では、廃液の供給を停止する際に液体燃料噴射ノズル内に空気を送り、液体燃料噴射ノズル内に残っている廃液を吹き飛ばすことで液体燃料噴射ノズルが詰まらないようにしている。しかし、液体燃料噴射ノズル内の廃液を完全になくすことは難しく、長期間使用していると、液体燃料噴射ノズル内の残留廃液に含まれていた夾雑物が蓄積して液体燃料噴射ノズルを詰まらせるおそれがあった。そのため、混焼装置では液体燃料噴射ノズルの頻繁なメンテナンスが必要であり、手間の掛かるものであった。
【先行技術文献】
【特許文献】
【０００４】
【特許文献１】特許３３２２８１５号公報
【発明の概要】
【発明が解決しようとする課題】
【０００５】
本発明が解決しようとする課題は、ガス燃料及び液体燃料による混焼運転と、ガス燃料のみによる専焼運転を行えるようにしてる燃焼装置において、液体燃料噴射ノズル内部で廃液の液分が蒸発し、廃液に含まれている夾雑物が固着してノズルが閉塞するということを防止することにある。
【課題を解決するための手段】
【０００６】
ガス燃料及び液体燃料による混焼運転とガス燃料のみによる専焼運転を行えるようにしてる燃焼装置であって、液体燃料は燃焼装置の先端近くに設けている液体燃料噴射ノズルから噴射しており、液体燃料供給管を通して液体燃料噴射ノズルへ液体燃料を供給するようにしている燃焼装置において、液体燃料供給管に、液体燃料供給時の圧力が掛かると伸び、液体燃料の供給停止によって圧力がなくなると縮む伸縮管を設けておき、液体燃料供給の有無によって液体燃料噴射ノズルが燃焼装置の前後方向に移動するようにしておく。また、液体燃料噴射ノズルとその周囲に設けている燃焼装置壁部の間に偏り防止スペーサを設置しておき、前後方向に移動する液体燃料噴射ノズルが軸ずれしないようにしておく。
【発明の効果】
【０００７】
ガス燃料と液体燃料による混焼運転を行う場合は、液体燃料供給管には液体燃料の供給圧力が掛かるために伸縮管が伸び、液体燃料噴射ノズルは燃焼装置の先端側に押し出される。液体燃料噴射ノズルを燃焼装置の先端に押し出した状態で液体燃料の噴射を行うため、噴射した液体燃料が燃焼装置の壁面などに付着することなく、液体燃料を火炎燃焼部へ噴射することができる。ガス燃料による専焼運転を行っている場合は、液体燃料供給管には圧力が掛かっていないために伸縮管が縮み、液体燃料噴射ノズルは燃焼装置の元側に引き込まれる。液体燃料噴射ノズルを引き込むことで、液体燃料噴射ノズルは燃焼による熱を受けにくくなるため、液体燃料噴射ノズル内で廃液の夾雑物が固着することがなくなり、液体燃料噴射ノズルが詰まることを防止できる。液体燃料による燃焼を行う場合は液体燃料を所定の位置から噴射することができ、ガス燃料による専焼を行う場合には液体燃料噴射ノズルへの加熱を防止できるため、良好な燃焼を維持することができ、液体燃料噴射ノズルのメンテナンス周期を長くすることができる。
【０００８】
また、液体燃料噴射ノズルに偏り防止スペーサを設けて、液体燃料噴射ノズルの位置が所定位置から外れることがないようにしておくことで、液体燃料噴射ノズルが燃焼装置の壁面に接触して接触部からの伝熱によって加熱されたり、液体燃料の噴射位置がずれて燃焼性が悪化することも防止できる。
【図面の簡単な説明】
【０００９】
【図１】本発明を実施している燃焼装置の液体燃料噴射ノズルを収容した状態の一部断面図
【図２】本発明を実施している燃焼装置の液体燃料噴射ノズルを出した状態の一部断面図
【図３】本発明を実施している燃焼装置の液体燃料噴射ノズル部分を拡大した一部断面図
【発明を実施するための形態】
【００１０】
本発明の一実施例を図面を用いて説明する。図１は本発明を実施している燃焼装置の液体燃料噴射ノズルを収容した状態の一部断面図、図２は液体燃料噴射ノズルを出した状態の一部断面図、図３は液体燃料噴射ノズル部分を拡大した一部断面図である。燃焼装置は中心に廃液を供給する液体燃料供給管１を設け、その周囲に一次空気筒２、ガス燃料筒３、二次空気筒４からなる３重の円筒を設置している。液体燃料供給管１は、先端に液体燃料噴射ノズル５、元側に液体燃料入口６と蒸気入口７を設けており、図の上方から下向きに廃液を送り、先端の液体燃料噴射ノズル５から下方へ廃液を噴射するようにしている。
【００１１】
一次空気筒２とガス燃料筒３に挟まれた環状の空間はガス燃料の供給路であり、図の上方から供給したガス燃料は、ガス燃料筒３の先端に設けているガス用ノズルから噴射する。燃焼用空気は、一次空気筒２の内側を通す一次空気と、二次空気筒４の内側を通す二次空気に分けて供給する。一次空気筒２は根元側と先端側の両方が開口した筒であり、一次空気筒２内に入った空気は一次空気として液体燃料噴射ノズル５のすぐ近くに送られる。一次空気筒２に入らなかった空気は二次空気として二次空気筒４の先端に送られ、二次空気筒４の先端近くに設けているバッフルプレートから先側へ噴射される。
【００１２】
燃焼装置の先端には、多数の穴をあけた円盤であるフラットコーン８を設けており、中央に設けている大きめの穴を通して廃液を噴射し、その周囲に設けている多数の穴からはガス燃料と燃焼用空気を噴射する。そのため、燃料ガスと廃液による混焼時には、ガス燃料による火炎が廃液による火炎を包み込むような形で燃焼することになる。
【００１３】
液体燃料供給管１の途中には、オイルポンプ（図示せず）を稼働して液体燃料供給管１に廃液を送ることで液体燃料供給管１内に圧力が掛かると伸び、圧力が排除されると縮むベローズ構造の伸縮管９を設ける。液体燃料供給管１の先端に設けている液体燃料噴射ノズル５は、図の上下方向に移動可能としておく。液体燃料供給管１への廃液供給を行い伸縮管９が伸びると、液体燃料噴射ノズル５はフラットコーン８に近づき、液体燃料供給管１への廃液供給が止まり伸縮管９が縮むと、液体燃料噴射ノズル５はフラットコーン８から遠ざかることになる。
【００１４】
図１の場合、ガス燃料のみで燃焼を行っており、廃液による燃焼は停止している。液体燃料供給管１に圧力が掛かっていないため、伸縮管９は縮んでおり、液体燃料噴射ノズルの先端は燃焼装置の内部（後方向）に引き込まれている。ガス燃料による火炎はフラットコーン８よりも先側で発生し、高温の燃焼ガスは燃焼装置の先方向（図の下方）へ流れるため、フラットコーン８の位置から燃焼装置内側に引き込んでいる液体燃料噴射ノズル５に伝わる熱量は小さくなる。廃液による燃焼を行っていない時には、液体燃料噴射ノズル５を燃焼装置内部の熱を受けにくい部分に収納することで液体燃料噴射ノズル５の加熱を防止し、液体燃料噴射ノズル５の内部で廃液が固まって液体燃料噴射ノズルが閉塞することがないようにしておく。
【００１５】
図２の場合、ガス燃料による燃焼に加えて廃液による燃焼も行っている。オイルポンプを稼働して液体燃料供給管１に廃液を送ると、液体燃料供給管１に圧力が掛かるために伸縮管９が伸び、液体燃料噴射ノズル５はフラットコーン８の近くまで押し出されている。液体燃料噴射ノズル５が先側（前方向）に出て燃焼装置の先端近くに来ると、燃焼装置の先側で燃焼している火炎の熱を強く受けることになる。しかしこの時、液体燃料噴射ノズル５では廃液を噴射しているため、液体燃料噴射ノズル５内で廃液が蒸発して廃液内の夾雑物が固まるということは起こらない。そして液体燃料噴射ノズル５をバーナ先側の所定位置まで持ってきておき、廃液をガス燃料による火炎中に噴射することで燃焼性の悪い廃液でもクリーンに燃焼させることができる。
【００１６】
液体燃料噴射ノズル５内で詰まりが発生するのは、液体燃料噴射ノズル内で廃液が残留ししいる状態の時に液体燃料噴射ノズル５が加熱され、液体燃料噴射ノズル内の液体分が蒸発することで廃液内の夾雑物が析出するためである。そのため、液体燃料噴射ノズル５内から液体燃料を噴射している場合には、液体燃料噴射ノズル内での夾雑物の析出は発生しない。また、液体燃料噴射ノズル５が加熱されないようにしても夾雑物の析出は発生しない。常に液体燃料を噴射し続けることや、常に液体燃料噴射ノズルが加熱されないようにし続けるというのは難しい。しかし、液体燃料を噴射していない場合には液体燃料噴射ノズルが加熱されない場所に移動させることで、液体燃料噴射ノズルでの詰まりを防止することができる。
【００１７】
また、本願発明では液体燃料噴射ノズル５を前後（上下）方向に移動するものであるため、液体燃料噴射ノズル５を移動する際に横方向へのずれが発生するおそれがある。液体燃料噴射ノズル５が中心軸からずれてバーナの金属基部に触れると、触れた部分から液体燃料噴射ノズル５に熱が伝わるため、液体燃料噴射ノズル５をフラットコーン８から離していても液体燃料噴射ノズル５が加熱され、液体燃料噴射ノズル５の内部で廃液が固まることがある。そのため液体燃料噴射ノズル５の側面には、液体燃料噴射ノズル５の周囲に設けているノズルカラー１１とのすきまを一定に保つための偏り防止スペーサ１０を設け、液体燃料噴射ノズル５が中心軸からずれることがないようにしておく。偏り防止スペーサ１０を設けて、液体燃料噴射ノズル５の位置がずれないようにしておくことで、燃焼時に廃液の噴射位置がずれて燃焼状態が悪化することを防止することもできる。
【符号の説明】
【００１８】
１  液体燃料供給管        
２  一次空気筒          
３  ガス燃料筒          
４  二次空気筒          
５  液体燃料噴射ノズル          
６  液体燃料入口          
７  蒸気入口              
８  フラットコーン            
９  伸縮管        
１０  偏り防止スペーサ            
１１  ノズルカラー            
【図１】
2011226741.tif 000003
【図２】
2011226741.tif 000004
【図３】
2011226741.tif 000005